(57)【特許請求の範囲】
【請求項１】
上に位置する容器の支脚が、下に位置する容器のポケットに挿入されて、上に位置する容器が、下に位置する容器に嵌め込まれる、所謂、ネスティングされるとともに、上に位置する容器の支脚が、下に位置する容器の開口部を取り囲むように側壁の上端から外側水平方向に延設されたフランジに載置される、所謂、スタッキングされるように構成された運搬用容器において、ポケットの下端から前記フランジの上面までの高さと、支脚の下面からポケットの下端までの高さとが、同じに形成されているとともに、ポケットの底部には、ポケットの底部を、全面に亘たって削除することにより、底無しとなるような底部開口が形成されており、３つの容器をネスティングした際には、真ん中の容器のポケットに挿入された一番上の容器の支脚の下面が、一番下に位置する容器の前記フランジ上に載置されるように構成されており、更に、ポケットに隣接した側壁には、支脚の下面に側壁に対して垂直方向に延在するように形成された寄せリブが挿入可能なスリットが、前記底部開口に連続して形成されていることを特徴とする運搬用容器。
【発明の詳細な説明】
【０００１】
【発明の属する技術分野】
本発明は、空の運搬用容器（以下、運搬用容器を、単に、「容器」ともいう。）を積み重ねる際には、上に位置する容器の略半分が、下に位置する容器に嵌め込まれ、所謂、ネスティングされ、また、内容物が収納された容器を積み重ねる際には、上に位置する容器が、下に位置する容器のフランジに載置されて、嵌め込まれないように積み重ねる、所謂、スタッキングされることが可能な容器に関するものである。
【０００２】
【従来の技術】
図７〜図１０を用いて、従来の運搬用容器について説明する。
【０００３】
容器は、底部１、外側にやや傾斜した相対する長辺側の側壁２ａ、２ｂ（以下、単に、「長側壁」という。）及び同じく外側にやや傾斜した相対する短辺側の側壁２ｃ、２ｄ（以下、単に、「短側壁」という。）とから構成されている。３は、容器の開口部を取り囲むように、長側壁２ａ、２ｂ及び短側壁２ｃ、２ｄの上端から外側水平方向に延設されたフランジ３である。４ａは、長側壁２ａ、２ｂ及び短側壁２ｃ、２ｄの中程に形成された中間水平リブであり、４ｂは、フランジ３と中間水平リブ４ａの間に形成された上部水平リブであり、４ｃは、フランジ３、中間水平リブ４ａ及び上部水平リブ４ｂを、適宜、連結する垂直リブである。
【０００４】
ｐ１は、フランジ３から底部１に向かって、長側壁２ａ、２ｂの一方の隅部寄りの内壁に形成された縦長の凹部からなるポケットであり、容器の略半分の深さを有している。ｃ１は、ポケットｐ１と適当な間隙を置いて或いはポケットｐ１に隣接して、ポケットｐ１より、容器の中央部寄りの長側壁２ａ、２ｂの外壁に形成された支脚であり、支脚ｃ１は、中間水平リブ４ａから底部１付近まで延びるように形成されている。上記のポケットｐ１の内幅は、上記の支脚ｃ１の外幅より広く形成されている。以下、このような、幅広のポケットｐ１と幅狭の支脚ｃ１との組み合わせを幅広ポケット・支脚部Ｓ１と称する。
【０００５】
ｃ２は、長側壁２ａ、２ｂのもう一方の隅部寄りの外壁に形成された、上述した支脚ｃ１より、幅広の支脚であり、支脚ｃ２は、中間水平リブ４ａから底部１付近まで延びるように形成されている。ｐ２は、支脚ｃ２と適当な間隙を置いて或いは支脚ｃ２に隣接して、支脚ｃ２より、容器の中央部寄りの長側壁２ａ、２ｂの内壁に形成された縦長の凹部からなるポケットであり、容器の略半分の深さを有しており、該ポケットｐ２は、幅広ポケット・支脚部Ｓ１のポケットｐ１の内幅より狭い内幅を有している。以下、このような、幅広の支脚ｃ２と幅狭のポケットｐ２との組み合わせを幅広支脚・ポケット部Ｓ２と称する。
【０００６】
なお、支脚ｃ１、ｃ２の下面には、支脚ｃ１、ｃ２の幅間隔でもって、下方に突起ｃ１’、ｃ２’が延設されており、この突起ｃ１’、ｃ２’は、スタッキングの際に、下に位置する容器内に挿入され、上に位置する容器の横移動を少なくするような機能を有するものであり、寄せリブと称されている。
【０００７】
幅広ポケット・支脚部Ｓ１の幅狭の支脚ｃ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｃ１が、幅広支脚・ポケット部Ｓ２の幅狭のポケットｐ２に挿入できるように構成されている。また、幅広支脚・ポケット部Ｓ２の幅広の支脚ｃ２の外幅は、幅広ポケット・支脚部Ｓ１の幅広ポケットｐ１の内幅より狭く形成されており、従って、ネスティングの際には、幅広支脚・ポケット部Ｓ２の幅広の支脚ｃ２が、幅広ポケット・支脚部Ｓ１の幅広のポケットｐ１に挿入できるように構成されている。
【０００８】
上述した中間水平リブ４ａ等のリブは、必要に応じて、省略することができる。中間水平リブ４ａを省略した場合には、支脚ｃ１、ｃ２は、上部水平リブ４ｂまで上方に、延長することが好ましい。
【０００９】
また、ポケットｐ１、ｐ２の下面は、中間水平リブ４ａの下面と面一に形成されており、ポケットｐ１、ｐ２の下面からフランジ３の上面までの高さＨ１と、支脚ｃ１、ｃ２の下面からポケットｐ１、ｐ２の下面までの高さＨ２とは、同じに形成されている。
【００１０】
上述した幅広ポケット・支脚部Ｓ１は、相対する長側壁２ａ、２ｂの一方の隅部付近に、互いに対向して配置されており、また、相対する長側壁２ａ、２ｂのもう一方の隅部付近には、互いに対向するように、幅広支脚・ポケット部Ｓ２が配置されている。また、相対する短側壁２ｃ、２ｄのうち、長側壁２ａ、２ｂに配置された幅広ポケット・支脚部Ｓ１に近い方の短側壁２ｃの隅部付近には、幅広支脚・ポケット部Ｓ２が配置されており、また、長側壁２ａ、２ｂに配置された幅広支脚・ポケット部Ｓ２に近い方の短側壁２ｄの隅部付近には、幅広ポケット・支脚部Ｓ１が配置されている。なお、図８及び図９に示されているように、長側壁２ａ、２ｂ及び短側壁２ｃ、２ｄの両方に、幅広ポケット・支脚部Ｓ１及び幅広支脚・ポケット部Ｓ２を配設することなく、長側壁２ａ、２ｂのみ、或いは、短側壁２ｃ、２ｄにのみ、幅広ポケット・支脚部Ｓ１及び幅広支脚・ポケット部Ｓ２を配設することもできる。
【００１１】
下に位置する容器と上に位置する容器とが、同じ向きになるように、即ち、下に位置する容器の幅広ポケット・支脚部Ｓ１の上方に、上に位置する容器の幅広ポケット・支脚部Ｓ１が位置し、また、下に位置する容器の幅広支脚・ポケット部Ｓ２の上方に、上に位置する容器の幅広支脚・ポケット部Ｓ２が位置するように、容器を積み重ねると、上に位置する容器の合計８本の支脚ｃ１、ｃ２が、下に位置する容器のフランジ３に載置されるので、下に位置する容器の上に、上に位置する容器がスタッキングされることになる。なお、スタッキングの際には、上に位置する容器の支脚ｃ１、ｃ２の寄せリブｃ１’、ｃ２’が、下に位置する容器内に挿入され、上に位置する容器の横移動を少なくするように構成されている。
【００１２】
また、スタッキング状態から、上に位置する容器を、平面的に、１８０度回転させて、下に位置する容器と上に位置する容器とが、異なる向きになるように、即ち、下に位置する容器の幅広ポケット・支脚部Ｓ１の上方に、上に位置する容器の幅広支脚・ポケット部Ｓ２が位置し、また、下に位置する容器の幅広支脚・ポケット部Ｓ２の上方に、上に位置する容器の幅広ポケット・支脚部Ｓ１が位置するように配置すると、下に位置する容器の幅広ポケット・支脚部Ｓ１の幅広のポケットｐ１に、上に位置する容器の幅広支脚・ポケット部Ｓ２の幅広の支脚ｃ２が、また、下に位置する幅広支脚・ポケット部Ｓ２の幅狭のポケットｐ２に、上に位置する幅広ポケット・支脚部Ｓ１の幅狭の支脚ｃ１が、それぞれ挿入されることになり、従って、上に位置する容器の略半分が、下に位置する容器の内部に嵌め込まれてネスティングされることになる。
【００１３】
なお、上述した、長側壁２ａ、２ｂ及び短側壁２ｃ、２ｄに配設された幅広ポケット・支脚部Ｓ１及び幅広支脚・ポケット部Ｓ２の配置は、上述した配置に限定されるものではなく、下に位置する容器と上に位置する容器とが、同じ向きに積み重ねられた際には、下に位置する容器の開口部に形成されたフランジ上に、上に位置する容器の支脚が載置されて、上に位置する容器が、下に位置する容器に嵌め込まれないように積み重ねられる、所謂、スタッキングされ、また、スタッキング状態から、上に位置する容器を、平面的に、１８０度回転させることにより、上に位置する容器の支脚が、下に位置する容器のポケットに挿入されて、上に位置する容器が、下に位置する容器に嵌め込まれる、所謂、ネスティングされるような配置であればどのような配置でもよい。
【００１４】
【発明が解決しようとする課題】
以下に、上述した構成を有する容器の課題について、図９及び図１０を用いて説明する。なお、便宜的に、幅広のポケットｐ１及び幅狭のポケットｐ２には、単に、符号ｐが付されており、幅狭の支脚ｃ１及び幅広の支脚ｃ２には、単に、符号ｃが付されており、長側壁２ａ、２ｂ及び短側壁２ｃ、２ｄには、単に、符号２が付されている。
【００１５】
上述した従来の運搬用容器においては、図９（ａ）に示されているように、３つの容器Ｂ１、Ｂ２、Ｂ３をネスティングした場合の全体の高さＨ３と、図９（ｂ）に示されているように、２つの容器Ｂ４、Ｂ５をスタッキングした場合の全体の高さＨ４とは、一番下に位置する容器Ｂ１のフランジ３と、一番上に位置する容器Ｂ３の支脚ｃとにより挟持されている真ん中に位置する容器Ｂ２のポケットｐの底部ｐ’の厚さｔ１分だけ、３つの容器Ｂ１、Ｂ２、Ｂ３をネスティングした場合の全体の高さＨ３が、２つの容器Ｂ４、Ｂ５をスタッキングした場合の全体の高さＨ４に比べて高くなる。
【００１６】
従って、図１０に示されているように、ネスティング状態の３つの容器Ｂ１、Ｂ２、Ｂ３の長側壁２ａ、２ｂと、スタッキング状態の２つの容器Ｂ４、Ｂ５の長側壁２ａ、２ｂとが接近するように並設された一組の容器群の上に、容器Ｂ６を、容器Ｂ６の長側壁２ａ、２ｂが、下に位置する容器Ｂ１、Ｂ２、Ｂ３、Ｂ４、Ｂ５の長側壁２ａ、２ｂと直交するように、換言すれば、容器Ｂ６の長側壁２ａ、２ｂが、下に位置する容器Ｂ１、Ｂ２、Ｂ３、Ｂ４、Ｂ５の短側壁２ｃ、２ｄに沿うように配置する、所謂、クロス積みすると、上に位置するクロス積みされた容器Ｂ６が、がたつき、安定してクロス積みできないという問題がある。なお、クロス積みした際に、下に位置する容器Ｂ３、Ｂ５のフランジ３上に、クロス積みされた容器Ｂ６の底部１の底面が載置されないように、底部１には、下に位置する容器Ｂ３、Ｂ５のフランジ３が挿入される、フランジ３の幅ｗの略２倍程度の凹溝１ａが形成されており、クロス積みされた容器Ｂ６の支脚ｃが、下に位置する容器Ｂ３、Ｂ５のフランジ３に載置されるよう構成されている。
【００１７】
上述したように、ネスティング時の容器の全体の高さが、スタッキング時の容器の全体の高さと異なるために、スタッキングされた容器群と、ネスティングされた容器群との上に容器を、安定してクロス積みすることはできず、両方がネスティングされた容器群か、或いは、両方がスタッキングされた容器群のいずれかでないと、安定したクロス積みができない。従って、作業者は、物品が収容されておりネスティングが不可能な容器かどうかをチェックしながらスタッキング或いはネスティングしなければならないよいう問題があった。
【００１８】
本発明の目的は、上述した従来の運搬用容器が有する課題を解決し、スタッキング作業及びネスティング作業の作業性の向上した運搬用容器を提供することにある。
【００１９】
【課題を解決するための手段】
本発明は、上述した目的を達成するために、上に位置する容器の支脚が、下に位置する容器のポケットに挿入されて、上に位置する容器が、下に位置する容器に嵌め込まれる、所謂、ネスティングされるとともに、上に位置する容器の支脚が、下に位置する容器の開口部を取り囲むように側壁の上端から外側水平方向に延設されたフランジに載置される、所謂、スタッキングされるように構成された運搬用容器において、ポケットの下端から前記フランジの上面までの高さと、支脚の下面からポケットの下端までの高さとが、同じに形成されているとともに、ポケットの底部には、ポケットの底部を、全面に亘たって削除することにより、底無しとなるような底部開口が形成されており、３つの容器をネスティングした際には、真ん中の容器のポケットに挿入された一番上の容器の支脚の下面が、一番下に位置する容器の前記フランジ上に載置されるように構成されており、更に、ポケットに隣接した側壁には、支脚の下面に側壁に対して垂直方向に延在するように形成された寄せリブが挿入可能なスリットを、前記底部開口に連続して形成したものである。
【００２０】
【実施例】
以下に、図１〜図６を用いて、本発明の実施例について説明するが、本発明の趣旨を越えない限り何ら、本実施例に限定されるものではない。なお、以下においては、上述した従来の運搬用容器と異なる構成についてのみ説明し、従来の運搬用容器と共通の構成については、その詳細な説明を省略するとともに、同一の符号を使用した。
【００２１】
本発明の実施例においては、上述した従来の容器のポケットｐ１、ｐ２の底部ｐ１’、ｐ２’を、全面に亘たって削除して、底無しとなるように、底部開口１０が形成されている。また、上述した従来の容器における支脚ｃ１、ｃ２の下面に、支脚ｃ１、ｃ２の幅間隔でもって形成された寄せリブｃ１’、ｃ２’に代えて、支脚ｃ１、ｃ２の下面の略中央部に、長側壁２ａ、２ｂ及び短側壁２ｃ、２ｄに対して垂直方向に延在する１つの寄せリブｃ１１、ｃ２１が形成されているとともに、ポケットｐ１、ｐ２の底部ｐ１’、ｐ２’に隣接した長側壁２ａ、２ｂ及び短側壁２ｃ、２ｄの側壁には、上記の寄せリブｃ１１、ｃ２１が挿入可能なスリット１１が形成されている。
【００２２】
以下に、上述したように、ポケットｐ１、ｐ２に、底部開口１０及び該底部開口１０に接続したスリット１１が形成された容器を、ネスティング或いはスタッキングした場合について、図５を用いて説明する。なお、便宜的に、幅広のポケットｐ１及び幅狭のポケットｐ２には、単に、符号ｐが付されており、幅狭の支脚ｃ１及び幅広の支脚ｃ２には、単に、符号ｃが付されており、長側壁２ａ、２ｂ及び短側壁２ｃ、２ｄには、単に、符号２は付されており、寄せリブｃ１１、ｃ２１には、単に、ｃ’が付されている。また、上述した従来の容器と同様に、ポケットｐの下端ｐ”からフランジ３の上面３ａまでの高さＨ１と、支脚ｃの下面ｃ”からポケットｐの下端ｐ”までの高さＨ２とは、同じに高さに形成されている。なお、図４には、ポケットｐの下端ｐ”が、ｐ１”、ｐ２”で示されている。また、図４に示されているポケットｐ１、ｐ２内に位置する長側壁２ａの上端２ａ’からフランジ３の上面３ａまでの高さ及び短側壁２ｄの上端２ｄ’からフランジ３の上面３ａまでの高さは、上記の高さＨ１と同じであり、従って、ポケットｐ１、ｐ２を構成す３つの側壁の下部が、図４に二点鎖線Ｌで示されているように、切除されている場合には、ポケットｐの下端ｐ１”、ｐ２”は、ポケットｐ１、ｐ２内に位置する長側壁２ａの上端２ａ’及び短側壁２ｄの上端２ｄ’を意味する。
【００２３】
本発明においては、図５（ａ）に示されているように、３つの容器Ｂ１、Ｂ２、Ｂ３をネスティングした場合には、真ん中の容器Ｂ２のポケットｐに、一番上の容器Ｂ３の支脚ｃを挿入した際には、上述したように、ポケットｐの底部には底部開口１０が形成されているので、図５（ａ）に示されているように、一番上の容器Ｂ３の支脚ｃは、一番下に位置する容器Ｂ１のフランジ３上に載置されることになり、従って、３つの容器Ｂ１、Ｂ２、Ｂ３をネスティングした場合の全体の高さは、真ん中の容器Ｂ２に関係なく、一番下に位置する容器Ｂ１のフランジ３に、一番上の容器Ｂ３の支脚ｃを載置したと同じであり、換言すれば、一番下に位置する容器Ｂ１と一番上の容器Ｂ３とをスタッキングしたのと同じである。また、図５（ｂ）に示されているように、２つの容器Ｂ４、Ｂ５をスタッキングした場合には、上に位置する容器Ｂ４の支脚ｃは、下に位置する容器Ｂ４のフランジに載置されるので、従って、３つの容器Ｂ１、Ｂ２、Ｂ３をネスティングした場合の全体の高さと、２つの容器Ｂ４、Ｂ５をスタッキングした場合の全体の高さは同じになる。従って、３つの容器Ｂ１、Ｂ２、Ｂ３がネスティングされた容器群と、２つの容器Ｂ４、Ｂ５がスタッキングされた容器群の上に、安定した状態で、容器Ｂ６をクロス積みすることができる。なお、公知のように、クロス積みした際に、下に位置する容器Ｂ３、Ｂ５のフランジ３上に、クロス積みされた容器Ｂ６の底部１の底面が載置されないように、底部１には、下に位置する容器Ｂ３、Ｂ５のフランジ３が挿入される、フランジ３の幅ｗの略２倍程度の凹溝１ａが形成されており、クロス積みされた容器Ｂ６の支脚ｃが、下に位置する容器Ｂ３、Ｂ５のフランジ３に載置されるよう構成されている。
【００２４】
また、一番上の容器Ｂ３の支脚ｃの寄せリブｃ’は、真ん中の容器Ｂ２のスリット１１内に位置するように構成されているので、一番上の容器Ｂ３の支脚ｃの寄せリブｃ’が、真ん中の容器Ｂ２の側壁２に当接して、一番上の容器Ｂ３が持ち上がるようなことがなく、完全なネスティングが阻害されるようなことがない。
【００２５】
スリット１１の幅は、上端部付近は、寄せリブｃ’の厚さｔ２より広く、下方に行くにしたがって狭く形成されており、スリット１１の下端部付近においては、寄せリブｃ’の厚さｔ２と略同じ幅に形成されている。このように形成することにより、ネスティングの際に、寄せリブｃ’がスリット１１に入りやすいとともに、ネスティング時には、寄せリブｃ’が、寄せリブｃ’の厚さｔ２と略同じ幅に形成されているスリット１１の下端部付近に位置することにより、寄せリブｃ’の水平方向の移動が、スリット１１により制限されるので、ネスティングされた容器Ｂの水平方向の移動が抑制され、従って、安定したネスティングが実現できる。
【００２６】
本発明の特徴は、ポケットｐの下端ｐ”からフランジ３の上面３ａまでの高さＨ１と、支脚ｃの下面ｃ”からポケットｐの下端ｐ”までの高さＨ２とが、同じ高さに形成されているとともに、ポケットｐの底部に、底部開口１０を形成したものである。このように構成することにより、下に位置する容器Ｂ１にネスティングされた、上に位置する容器Ｂ２のネスティング高さ、即ち、下に位置する容器Ｂ１のフランジ３の上面３ａに載置された、上に位置する容器Ｂ２のポケットｐの下端ｐ”からフランジ３の上面３ａまでの高さＨ１が、下に位置する容器Ｂ４にスタッキングされた上に位置する容器Ｂ５の容器のスタッキング高さ、即ち、下に位置する容器Ｂ４のフランジ３の上面３ａに載置された、上に位置する容器Ｂ５の支脚ｃの下面ｃ”からフランジ３の上面３ａまでの高さＨ５の半分になる。
【００２７】
上述した実施例には、一方の容器群がネスティングされたものであり、もう一方の容器群がスタッキングされた例を用いて、その上に、容器がクロス積みされる例が示されてるが、ネスティング高さＨ１が、スタッキング高さＨ５の半分になるように構成されているので、クロス積みされる容器の下方に位置する一組の容器群が、ネスティング及びスタッキングの混合であっても、ネスティングとスタッキングの容器の数を、適宜、調整することにより、クロス積みされる容器の下方に位置する一組の容器群を、同じ高さに形成することができる。
【００２８】
また、本発明は、上述したように、一組の容器群の上に１つの容器をクロス積みする場合に限らず、３以上の容器群の上に１つの容器をクロス積みする場合や、３以上の容器群の上に２以上の容器をクロス積みする場合にも適用することができる。
【００２９】
なお、上述した実施例においては、支脚ｃ１、ｃ２の下面ｃ１”、ｃ２”の略中央部に寄せリブｃ１１、ｃ２１を形成した例が示されているが、図７及び図１０に示されている従来の容器のように、支脚ｃ１、ｃ２の幅間隔でもって突起（寄せリブ）ｃ１’、ｃ２’を形成することもできる。この場合には、突起（寄せリブ）ｃ１’、ｃ２’に対応して、スリット１１が２つ形成されることになる。或いは、２つのスリット１１に代えて、凹部を形成してもよい。
【００３０】
【発明の効果】
本発明は、以上説明したような構成を有するので、以下に記載する効果を奏するものである。
【００３１】
クロス積みされる運搬用容器の下方に位置する運搬用容器群が、ネスティングされたものか、スタッキングされたものか、或いは、ネスティングとスタッキングとの混合の場合でも、下方に位置する運搬用容器群の全体の高さを同じにすることができ、従って、クロス積みされた運搬用容器がぐらつくようなことがなく、安定した状態でクロス積みを行うことがきる。
【００３２】
ポケットに隣接した側壁には、底部開口に連続して、支脚の下面の略中央部に形成された寄せリブが挿入可能なスリットが形成されているので、ネスティングされた運搬用容器の水平方向の移動が抑制され、従って、安定したネスティングが実現できる。
【図面の簡単な説明】
【図１】図１は本発明の運搬用容器の斜視図である。
【図２】図２は本発明の運搬用容器の平面図である。
【図３】図３は本発明の運搬用容器の底部から見た斜視図である。
【図４】図４は本発明の運搬用容器の一部拡大斜視図である。
【図５】図５は本発明の３つの運搬用容器がネスティングされた状態と２つの運搬用容器がスタッキングされた状態を示す垂直断面図である。
【図６】図６はネスティングされた本発明の３つの運搬用容器とスタッキングされた本発明の２つ運搬用容器に本発明の運搬用容器をクロス積みした正面図である。
【図７】図７は従来の運搬用容器の斜視図である。
【図８】図８は従来の運搬用容器の平面図である。
【図９】図９は従来の３つの運搬用容器がネスティングされた状態と２つの運搬用容器がスタッキングされた状態を示す垂直断面図である。
【図１０】図１０はネスティングされた従来の３つの運搬用容器とスタッキングされた従来の２つ運搬用容器に従来の運搬用容器をクロス積みした正面図である。
【符号の説明】
Ｓ１・・・・・・・幅広ポケット・支脚部
Ｓ２・・・・・・・幅広支脚・ポケット部
ｃ１、ｃ２・・・・支脚
ｐ１、ｐ２・・・・ポケット
１・・・・・・・・底部
２ａ、２ｂ・・・・長側壁
２ｃ、２ｄ・・・・短側壁
３・・・・・・・・フランジ
１０・・・・・・・底部開口
１１・・・・・・・スリット
【図１】
0003914680.tif 000002
【図２】
0003914680.tif 000003
【図３】
0003914680.tif 000004
【図４】
0003914680.tif 000005
【図５】
0003914680.tif 000006
【図６】
0003914680.tif 000007
【図７】
0003914680.tif 000008
【図８】
0003914680.tif 000009
【図９】
0003914680.tif 000010
【図１０】
0003914680.tif 000011